(57)【特許請求の範囲】
【請求項１】
色信号と輝度信号を周波数多重した複合映像信号の輝度信号と色信号を分離するフィルタであって、
複合映像信号を１ライン分遅延させる複数のライン遅延手段と、
複合映像信号を１フィールド分遅延させる複数のフィールド遅延手段と、
入力複合映像信号と上記ライン遅延手段および上記フィールド遅延手段により遅延された複合映像信号から色信号成分を抽出する時間−垂直−水平方向色信号抽出フィルタを含み、時間−垂直−水平方向に帯域制限した複数の特定周波数の信号成分を抽出する時間−垂直−水平方向フィルタと、
入力複合映像信号における注目ラインから色信号成分を抽出する水平方向色信号抽出フィルタと、
入力複合映像信号と上記ライン遅延手段により遅延された複合映像信号から色信号成分を抽出する垂直方向色信号抽出フィルタと、
入力複合映像信号と上記フィールド遅延手段により遅延された複合映像信号から色信号成分を抽出する時間方向色信号抽出フィルタと、
複合映像信号と上記ライン遅延手段および上記フィールド遅延手段により遅延された複合映像信号から垂直非相関を検出する垂直非相関検出手段と、
複合映像信号と上記ライン遅延手段および上記フィールド遅延手段により遅延された複合映像信号から水平非相関を検出する水平非相関検出手段と、
複合映像信号と上記フィールド遅延手段により遅延された複合映像信号から時間非相関を検出する時間非相関検出手段と、
これらの非相関検出手段で検出された非相関の度合いに応じて、上記時間−垂直−水平方向色信号抽出フィルタ出力と上記水平方向色信号抽出フィルタ出力と上記垂直方向色信号抽出フィルタ出力と上記時間方向色信号抽出フィルタ出力から選択的に色信号成分を出力する色信号選択手段と、
上記色信号選択手段の出力と複合映像信号を演算して輝度信号成分を抽出する演算手段とを備え、
上記複数の特定周波数の信号成分のうちの一つが上記時間−垂直−水平方向色信号抽出フィルタにより抽出された色信号成分であり、
上記水平非相関検出手段および上記垂直非相関検出手段において複合映像信号の水平方向および垂直方向での非相関の度合を表す非相関エネルギーを抽出し、上記時間非相関検出手段において１フレーム差分信号および２フレーム差分信号を抽出するとともに、上記複数の特定周波数の信号成分を、それぞれ上記垂直非相関検出手段、上記水平非相関検出手段および上記時間非相関検出手段に入力し、これらを上記垂直非相関検出手段および上記水平非相関検出手段において上記非相関エネルギーと比較演算することで上記水平非相関および上記垂直非相関を検出し、上記時間非相関検出手段において差分信号と比較演算することで上記時間非相関を検出することを特徴とする輝度信号色信号分離フィルタ。
【発明の詳細な説明】
【０００１】
【発明の属する技術分野】
この発明は例えばＮＴＳＣ方式の複合テレビジョン信号から輝度信号と色信号とを分離する輝度信号色信号分離フィルタに関するものである。
【０００２】
【従来の技術】
図１７は従来の輝度信号色信号分離フィルタの一例を示すブロック図である。図において、１はＮＴＳＣ方式等の複合映像信号を入力する入力端子で、端子１に入力された信号は、Ａ／Ｄ変換器１１に与えられる。Ａ／Ｄ変換器１１の出力信号ａは、補償遅延回路２０ｉと時間−垂直−水平方向色信号抽出フィルタ１４ｃに与えられるとともに、入力信号に対し１ライン遅延された信号を出力するようなライン遅延器１３ａに与えられる。ライン遅延器１３ａの出力信号ｂは、時間−垂直−水平方向色信号抽出フィルタ１４ｃに与えられるとともに、ライン遅延器１３ｂに与えられる。ライン遅延器１３ｂの出力信号ｃは、入力信号に対し２６２ライン遅延された信号を出力するようなフィールド遅延器１２ａに与えられる。この出力ｄは、以下、ライン遅延器１３ｃ、フィールド遅延器１２ｂ、ライン遅延器１３ｄ、ライン遅延器１３ｅ、フィールド遅延器１２ｃ、ライン遅延器１３ｆ、フィールド遅延器１２ｄ、ライン遅延器１３ｇ、ライン遅延器１３ｈの順に遅延され、各遅延器の出力信号ｅ，ｆ，ｇ，ｈ，ｉ，ｊ，ｋ，ｌ，ｍは、時間−垂直−水平方向色信号抽出フィルタ１４ｃに与えられる。時間−垂直−水平方向色信号抽出フィルタ１４ｃの出力は、減算器２２に与えられるとともに色信号として出力端子２３より出力される。補償遅延回路２０ｉの出力は、減算器２２に与えられ時間−垂直−水平方向色信号抽出フィルタ１４ｃ出力と減算され、輝度信号として出力端子２４より出力される。
【０００３】
図１８は時間−垂直−水平方向色信号抽出フィルタ１４ｃの一例を示すブロック図である。信号ａは第１の加算器２５ｈに与えられる。信号ｂは第２の加算器２５ｉに与えられる。以下、信号ｃは第１の加算器２５ｈに、信号ｄは減算器２９ｃに、信号ｅは減算器２９ｃに、信号ｆは第２の加算器２５ｉに、信号ｇは第４の乗算器２６ｌに、信号ｈは第２の加算器２５ｉに、信号ｉは減算器２９ｃに、信号ｊは減算器２９ｃに、信号ｋは第１の加算器２５ｈに、信号ｌは第２の加算器２５ｉに、信号ｍは第１の加算器２５ｈに与えられる。第１の加算器２５ｈの出力は第１の乗算器２６ｉに与えられ、減算器２９ｃの出力は第２の乗算器２６ｊに与えられ、第２の加算器２５ｉの出力は第３の乗算器２６ｋに与えられる。４つの乗算器２６ｉ〜２６ｌの出力は第３の加算器２５ｊに与えられ、第３の加算器２５ｊの出力は水平方向色信号抽出フィルタ２８に与えられ、水平方向色信号抽出フィルタ２８の出力は時間−垂直−水平方向色信号抽出フィルタ１４ｃの出力となる。
【０００４】
図１９は時間−垂直方向色信号抽出フィルタ２７のフィルタ特性を示す図である。色信号の３次元周波数特性は図１６のような分布となり、同様な色信号分布をとるようなフィルタ特性を持つ時間−垂直−水平方向色信号抽出フィルタ１４ｃを用いることでクロスカラーの非常に少ないＹＣ分離が実現できる。
【０００５】
【発明が解決しようとする課題】
従来の、垂直方向、水平方向および時間方向に帯域制限して色信号を抜き取る方式の輝度信号色信号分離フィルタでは、クロスカラーが非常に少ない一方で、ドット妨害が多いという問題があった。
【０００６】
本発明は上記のような問題を解決するためになされたもので、従来の時間−垂直−水平方向色信号抽出フィルタに加えて、時間方向色信号抽出フィルタ，垂直方向色信号抽出フィルタまたは水平方向色信号抽出フィルタ、もしくはそれらを縦続接続したフィルタを用いて、適応的にこれらのフィルタを選択することで、クロスカラーが非常に少なく、かつドット妨害も除去できる輝度信号色信号分離フィルタを得ることを目的とする。
【０００７】
【課題を解決するための手段】
この発明に係る輝度信号色信号分離フィルタは、
複合映像信号を１ライン分遅延させる複数のライン遅延手段と、
複合映像信号を１フィールド分遅延させる複数のフィールド遅延手段と、
入力複合映像信号と上記ライン遅延手段および上記フィールド遅延手段により遅延された複合映像信号から色信号成分を抽出する時間−垂直−水平方向色信号抽出フィルタを含み、時間−垂直−水平方向に帯域制限した複数の特定周波数の信号成分を抽出する時間−垂直−水平方向フィルタと、
入力複合映像信号における注目ラインから色信号成分を抽出する水平方向色信号抽出フィルタと、
入力複合映像信号と上記ライン遅延手段により遅延された複合映像信号から色信号成分を抽出する垂直方向色信号抽出フィルタと、
入力複合映像信号と上記フィールド遅延手段により遅延された複合映像信号から色信号成分を抽出する時間方向色信号抽出フィルタと、
複合映像信号と上記ライン遅延手段および上記フィールド遅延手段により遅延された複合映像信号から垂直非相関を検出する垂直非相関検出手段と、
複合映像信号と上記ライン遅延手段および上記フィールド遅延手段により遅延された複合映像信号から水平非相関を検出する水平非相関検出手段と、
複合映像信号と上記フィールド遅延手段により遅延された複合映像信号から時間非相関を検出する時間非相関検出手段と、
これらの非相関検出手段で検出された非相関の度合いに応じて、上記時間−垂直−水平方向色信号抽出フィルタ出力と上記水平方向色信号抽出フィルタ出力と上記垂直方向色信号抽出フィルタ出力と上記時間方向色信号抽出フィルタ出力から選択的に色信号成分を出力する色信号選択手段と、
上記色信号選択手段の出力と複合映像信号を演算して輝度信号成分を抽出する演算手段とを備え、
上記複数の特定周波数の信号成分のうちの一つが上記時間−垂直−水平方向色信号抽出フィルタにより抽出された色信号成分であり、
上記水平非相関検出手段および上記垂直非相関検出手段において複合映像信号の水平方向および垂直方向での非相関の度合を表す非相関エネルギーを抽出し、上記時間非相関検出手段において１フレーム差分信号および２フレーム差分信号を抽出するとともに、上記複数の特定周波数の信号成分を、それぞれ上記垂直非相関検出手段、上記水平非相関検出手段および上記時間非相関検出手段に入力し、これらを上記垂直非相関検出手段および上記水平非相関検出手段において上記非相関エネルギーと比較演算することで上記水平非相関および上記垂直非相関を検出し、上記時間非相関検出手段において差分信号と比較演算することで上記時間非相関を検出することを特徴とする。
【０００８】
【発明の実施の形態】
この発明の実施の形態である輝度信号色信号分離フィルタは、時間−垂直−水平方向色信号抽出フィルタに加えて、水平方向色信号抽出フィルタと垂直方向色信号抽出フィルタと時間方向色信号抽出フィルタを有し、垂直非相関検出手段と水平非相関検出手段と時間非相関検出手段によって複合映像信号における水平方向および垂直方向での非相関の度合を表す非相関エネルギーを抽出するとともに、上記時間−垂直−水平方向色信号抽出フィルタで抽出された特定周波数成分における非相関エネルギーを抽出し、これらの非相関エネルギーを比較演算することでクロスカラーが少なく、斜め解像度を高く、かつ、画面水平方向および垂直方向に発生するドット妨害を除去することができ、また、時間非相関検出手段により時間方向色信号抽出フィルタに切り換えることで輝度信号低域に発生するノイズを抑圧することができる。
【０００９】
以下、この発明をその実施の形態を示す図面に基づいて具体的に説明する。
実施の形態１．
図１はこの実施の形態１を示すブロック図である。図において、１はＮＴＳＣ方式等の複合映像信号を入力する入力端子である。端子１に入力された信号は、Ａ／Ｄ変換器１１に与えられる。Ａ／Ｄ変換器１１の出力信号ｂは、補償遅延回路２０ａと時間−垂直−水平方向色信号抽出フィルタ１４に与えられるとともに、入力信号に対し２６２ライン遅延された信号を出力するようなフィールド遅延器１２ａに与えられる。フィールド遅延器１２ａの出力ｄは、時間−垂直−水平方向色信号抽出フィルタ１４に与えられるとともに、入力信号に対し１ライン遅延された信号を出力するようなライン遅延器１３ｃに与えられる。
【００１０】
ライン遅延器１３ｃの出力ｅは、時間−垂直−水平方向フィルタ１４に与えられるとともに、入力信号に対し２６１ライン遅延された信号を出力するようなフィールド遅延器１２ｂに与えられる。この出力ｆは、以下、ライン遅延器１３ｄ、ライン遅延器１３ｅ、フィールド遅延器１２ｃ、ライン遅延器１３ｆ、フィールド遅延器１２ｄの順に遅延され、各遅延器の出力ｇ，ｈ，ｉ，ｊ，ｌは、時間−垂直−水平方向フィルタ１４に与えられる。また、ライン遅延器１３ｄの出力ｄは、水平方向色信号抽出フィルタ１５に与えられ、フィールド遅延器１２ｂ、ライン遅延器１３ｄ、ライン遅延器１３ｅの各出力ｆ，ｇ，ｈおよび時間−垂直−水平方向フィルタ１４の出力ｔｖｈ３は垂直非相関検出回路１８ａに与えられる。信号ｆ，ｇ，ｈ、および時間−垂直−水平方向フィルタ１４の出力ｔｖｈ２は垂直非相関検出回路１８ｂに与えられる。
【００１１】
Ａ／Ｄ変換器１１、ライン遅延器１３ｄ、フィールド遅延器１２ｄの各出力ｂ，ｇ，ｌ、および時間−垂直−水平方向フィルタ１４の出力ｔｖｈ１は、時間非相関検出回路１８ｃに与えられる。時間−垂直−水平方向色信号抽出フィルタ１４、水平方向色信号抽出フィルタ１５、垂直非相関検出回路１８ａ、水平非相関検出回路１８ｂ、時間非相関検出回路１８ｃの出力は、それぞれ補償遅延回路２０ｂ、補償遅延回路２０ｃ、補償遅延回路２０ｆ、補償遅延回路２０ｇ、補償遅延回路２０ｈに与えられる。補償遅延回路２０ｂ、補償遅延回路２０ｃの出力はスイッチ回路２１に入力され、スイッチ回路２１では補償遅延回路２０ｆ、補償遅延回路２０ｇ、補償遅延回路２０ｈの出力信号に従って、４入力のどれかを選択して出力する。スイッチ回路２１の出力は、出力端子２３から色信号として出力される一方、減算器２２において補償遅延回路２０ａの出力から減算され、その演算結果は、輝度信号として出力される。
【００１２】
図２は図１中の時間−垂直−水平方向フィルタ１４の構成を示すブロック図である。入力信号ｂ，ｄ，ｅ，ｆ，ｇ，ｈ，ｉ，ｊ，ｌは時間−垂直−水平方向色信号抽出フィルタ２７ａに、入力信号ｄ，ｅ，ｆ，ｇ，ｈ，ｉ，ｊは水平方向色信号非相関エネルギー抽出回路２７ｂに、入力信号ｄ，ｅ，ｆ，ｈ，ｉ，ｊは垂直方向色信号非相関エネルギー抽出回路２７ｃにそれぞれ与えられる。時間−垂直−水平方向色信号抽出フィルタ２７ａ、水平方向色信号非相関エネルギー抽出回路２７ｂ、垂直方向色信号非相関エネルギー抽出回路２７ｃの出力は、それぞれｔｖｈ１、ｔｖｈ２、ｔｖｈ３として送出される。
【００１３】
図３は図２中の時間−垂直−水平方向色信号抽出フィルタ２７ａの構成を示すブロック図である。入力信号ｂ，ｄ，ｆ，ｈ，ｊ，ｌは加算器２５ａに、入力信号ｅ，ｉは加算器２５ｂにそれぞれ与えられる。入力信号ｇは乗算器２６ｂで０．２倍され、加算器２５ａの出力は乗算器２６ａで−０．１倍され、加算器２５ｂの出力は乗算器２６ｃで０．１倍される。乗算器２６ａ，２６ｂ，２６ｃの出力は加算器２５ｃに入力され、加算器２５ｃの出力は、時間−垂直方向色信号抽出フィルタ２７の出力として、水平方向色信号抽出フィルタ２８に与えられ、水平方向色信号抽出フィルタ２８ａの出力は、時間−垂直−水平方向色信号抽出フィルタ２７ａの出力として送出される。
【００１４】
図４は図２中の水平方向色信号非相関エネルギー抽出回路２７ｂの構成を示すブロック図である。入力信号ｄ，ｅ，ｉ，ｊは減算器２９ａに、入力信号ｆ，ｈは減算器２９ｂにそれぞれ与えられ、入力信号ｇは乗算器２６ｉに与えられて１．２５倍される。減算器２９ａの出力は乗算器２６ｇで０．５倍され、減算器２９ｂの出力は乗算器２６ｈで０．７５倍される。乗算器２６ｇ，２６ｈ，２６ｉの出力は加算器２５ｇに入力され、加算器２５ｇの出力は、乗算器２６ｊで０．２１倍されて水平方向色信号抽出フィルタ２８ｂに与えられ、水平方向色信号抽出フィルタ２８ｂの出力は、水平方向色信号非相関エネルギー抽出回路２７ｂの出力信号ｔｖｈ２として送出される。
【００１５】
図５は図２中の垂直方向色信号非相関エネルギー抽出回路２７ｃの構成を示すブロック図である。入力信号ｄ，ｅ，ｉ，ｊは減算器２９ｃに、入力信号ｆ，ｈは減算器２９ｄにそれぞれ与えられる。減算器２９ｃの出力は乗算器２６ｌで０．１２５倍され、減算器２９ｄの出力は乗算器２６ｋで０．３１２５倍される。乗算器２６ｋ，２６ｌの出力は加算器２５ｈに入力され、加算器２５ｈの出力は、水平方向色信号抽出フィルタ２８ｃに与えられ、水平方向色信号抽出フィルタ２８ａの出力は、垂直方向色信号非相関エネルギー抽出回路２７ｃの出力信号ｔｖｈ３として送出される。
【００１６】
図６は図１中の垂直非相関検出回路１８ａを示すブロック図である。３０は水平方向輝度信号非相関エネルギー抽出回路、３１ｂは水平方向色信号非相関エネルギー抽出回路（２）、３２は垂直方向輝度信号非相関エネルギー抽出回路、３８，３９は最大値回路、４１，４２は比較回路、４３，４４，４５は遅延回路、４６はＡＮＤ回路、４７はＯＲ回路、４８ｄは乗算回路である。
【００１７】
信号ｆ、ｇ、ｈは、水平方向輝度信号非相関エネルギー抽出回路３０と垂直方向輝度信号非相関エネルギー検出回路３２に与えられる。信号ｇは水平方向色信号非相関エネルギー抽出回路（２）３１ｂに与えられる。水平方向輝度信号非相関エネルギー抽出回路３０の出力は、最大値回路３８，３９に与えられ、水平方向色信号非相関エネルギー抽出回路（２）３１ｂの出力は、最大値回路３８に与えられるとともに、乗算器４８ｄで２．０倍された後、最大値回路３９に与えられる。比較回路４１には、最大値回路３８の出力と、信号ｔｖｈ２が与えられ、比較回路４２には、最大値回路３９の出力と、垂直方向輝度信号非相関エネルギー検出回路３２の出力が与えられる。
【００１８】
比較回路４１の出力信号は遅延回路４３に、比較回路４２の出力信号は遅延回路４４とＡＮＤ回路４６に、遅延回路４４の出力信号は遅延回路４５とＡＮＤ回路４６に、遅延回路４５の出力信号はＡＮＤ回路４６に、遅延回路４３の出力信号とＡＮＤ回路４６の出力信号はＯＲ回路４７にそれぞれ与えられる。
【００１９】
図７は図１中の水平非相関判定回路１８ｂを示すブロック図である。３０は水平方向輝度信号非相関エネルギー抽出回路、３２は垂直方向輝度信号非相関エネルギー抽出回路、３３ｂは垂直方向色信号非相関エネルギー抽出回路（２）、３５，３７は最大値回路、４０は比較回路、４８ａ，４８ｂは乗算回路である。
【００２０】
信号ｂ、ｇ、ｌは、水平方向輝度信号非相関エネルギー抽出回路３０に与えられ、垂直方向輝度信号非相関エネルギー抽出回路３２には信号ｆ、ｇ、ｈが与えられ、垂直方向色信号非相関エネルギー抽出回路（２）３３ｂには信号ｆ、ｈが与えられ、信号ｔｖｈ３は最大値回路３５に与えられる。水平方向輝度信号非相関エネルギー抽出回路３０の出力は、乗算器４８ａで０．５倍された後、最大値回路３５に与えられる。垂直方向色信号非相関エネルギー抽出回路（２）３３ｂの出力は、乗算器４８ｂで４．０倍された後、垂直方向輝度信号非相関エネルギー抽出回路３２の出力とともに最大値回路３７に与えられる。最大値回路３５，３７の出力は比較回路４０に与えられ、比較回路４０の出力は、水平非相関判定回路１８ｂの出力として送出される。
【００２１】
図８は図１中の時間非相関判定回路１８ｃを示すブロック図である。信号ｂ，ｌは加算回路５１に与えられ、加算回路５１の出力および信号ｇが減算回路５０ａに与えられ、減算回路５０ａの出力は１フレーム差分信号として絶対値回路５２ａに与えられる。また、信号ｂ，ｌは減算回路５０ｂに与えられ、減算回路５０ｂの出力は２フレーム差分信号として絶対値回路５２ｂに与えられる。時間−垂直−水平方向色信号抽出フィルタ２７ａの出力であるｔｖｈ１は、絶対値回路５２ｃにより絶対値化され、減算回路５０ｃにより、１フレーム差分信号の絶対値から減算される。２フレーム差分信号の絶対値と減算回路５０ｃの出力は、それぞれ比較回路５３ａと５３ｂにおいて動き判定レベルと比較され、２つの比較結果はＯＲ回路５４で合成され、ＯＲ回路５４の出力は時間非相関判定回路１８ｃの出力として出力される。
【００２２】
図９は図６中の水平方向色信号非相関エネルギー抽出回路３１ｂを示すブロック図で、色副搬送波の１周期分（１／ｆｓｃ）の遅延量をもつ遅延回路６０、減算回路６１、絶対値回路６２で構成されており、信号ｇは、遅延回路６０および減算回路６１の一方の入力端子に与えられ、遅延回路６０の出力信号は、減算回路６１の他方の入力端子に与えられる。減算回路６１の出力信号は、絶対値回路６２に与えられ、この絶対値回路６２の出力が水平方向色信号非相関エネルギー抽出回路３１ｂの出力ＤＣＨ２となる。
【００２３】
図１０は図６および図７中の水平方向輝度信号非相関エネルギー抽出回路３０のブロック図で、垂直方向低域通過フィルタ６３、色副搬送波の１／２の周期（１／（２ｆｓｃ））の遅延量をもつ遅延回路６４，６５、減算回路６６，６７、絶対値回路６８，６９および最大値回路７０で構成されており、信号ｆ，ｇ，ｈは、垂直方向低域通過フィルタ６３に与えられ、この垂直方向低域通過フィルタ６３の出力は、遅延回路６４および減算回路６６の一方の入力端子に与えられ、遅延回路６４の出力は、遅延回路６５、減算回路６６の他方の入力端子および減算回路６７の一方の入力端子に与えられ、遅延回路６５の出力は、減算回路６７の他方の入力端子に与えられ、減算回路６６の出力は、絶対値回路６８に与えられ、この絶対値回路６８の出力は最大値回路７０に与えられ、減算回路６７の出力は絶対値回路６９に与えられ、この絶対値回路６９の出力は最大値回路７０に与えられる。最大値回路７０の出力は水平方向輝度信号非相関エネルギー抽出回路３０の出力ＤＹＨとなる。
【００２４】
図１１は図７中の垂直方向色信号非相関エネルギー抽出回路（２）３３ｂのブロック図で、減算回路７１と、絶対値回路７２で構成され、信号ｆ、ｈは減算回路７１に与えられ、減算回路７１の出力は絶対値回路７２に与えられ、この絶対値回路７２の出力は垂直方向色信号非相関エネルギー抽出回路（２）３３ｂの出力ＤＣＶ２となる。
【００２５】
図１２は図６および図７中の垂直方向輝度信号非相関エネルギー抽出回路３２のブロック図で、水平方向低域通過フィルタ７３，７４，７５、減算回路７６，７７、絶対値回路７８，７９および最大値回路８０で構成されており、信号ｆは水平方向低域通過フィルタ７３に与えられ、信号ｇは水平方向低域通過フィルタ７４に与えられ、信号ｈは水平方向低域通過フィルタ７５に与えられる。水平方向低域通過フィルタ７３の出力は減算回路７６の一方の入力端子に与えられ、水平方向低域通過フィルタ７４の出力は減算回路７６の他方の入力端子、および減算回路７７の一方の入力端子に与えられ、水平方向低域通過フィルタ７５の出力は減算回路７７の他方の入力端子に与えられ、減算回路７６の出力は絶対値回路７８に与えられ、減算回路７７の出力は絶対値回路７９に与えられ、絶対値回路７８，７９の出力は最大値回路８０に与えられ、この最大値回路８０の出力は垂直方向輝度信号非相関エネルギー抽出回路３２の出力ＤＹＶとなる。
【００２６】
図１３は図２中の時間−垂直−水平方向色信号抽出フィルタ２７ａの時間−垂直周波数特性を示す図である。
【００２７】
図１４は図２中の水平方向色信号非相関エネルギー抽出回路（１）２７ｂの時間−垂直周波数特性を示す図である。
【００２８】
図１５は図２中の垂直方向色信号非相関エネルギー抽出回路（１）２７ｃの時間−垂直周波数特性を示す図である。
【００２９】
以下、実施の形態１の動作を説明する。図１において、端子１より入力された入力信号は、Ａ／Ｄ変換器１１でディジタル値に変換された後、フィールド遅延回路１２ａ〜１２ｄ、ライン遅延回路１３ｃ〜１３ｆによって遅延され、Ａ／Ｄ変換器１１の出力信号および上記各遅延回路の出力信号は時間−垂直−水平方向色信号抽出フィルタ１４に与えられる。また、ライン遅延回路１３ｄの出力信号は水平方向色信号抽出フィルタ１５に与えられ、フィールド遅延回路１２ｂ、ライン遅延回路１３ｄ、ライン遅延回路１３ｅの出力信号は垂直非相関検出回路１８ａに与えられる。
【００３０】
色信号の３次元周波数特性は、図１６に示すように、時間−垂直周波数平面における第２および、第４象限に分布する。時間−垂直−水平方向色信号抽出フィルタ２７ａでは、図１３に示すように、時間−垂直周波数平面における第２および第４象限に通過域をとるようなフィルタ特性を持つことから、クロスカラーが非常に少なくなる。
【００３１】
ただし、垂直方向または水平方向または時間方向に非相関のある場合には、ドット妨害が発生するので、垂直方向に非相関のある場合は垂直非相関検出回路１８ａにより、また、水平方向に非相関のある場合は水平非相関検出回路１８ｂにより、また、時間方向に非相関のある場合は時間非相関検出回路１８ｃにより非相関の度合いをそれぞれ検出し、スイッチ回路２１によって、時間−垂直−水平方向フィルタ１４の出力を遅延した補償遅延回路２０ｂの出力、水平方向色信号抽出フィルタ１５の出力を遅延した補償遅延回路２０ｃの出力、または垂直方向色信号抽出フィルタ１６の出力を遅延した補償遅延回路２０ｄの出力または時間方向色信号抽出フィルタ１７の出力を遅延した補償遅延回路２０ｅの出力を切り換えて出力する。なお、非相関検出回路１８ａ，１８ｂで用いる非相関エネルギーｔｖｈ２，ｔｖｈ３の時間−垂直周波数平面におけるフィルタ特性も図１４および図１５に示すように、第２および第４象限に通過域をとるような特性を持つ。
【００３２】
なお、このときの水平方向色信号抽出フィルタ１５および図３、図４、図５の水平方向色信号抽出フィルタ２８ａ、２８ｂ、２８ｃの伝達関数は、例えば、
Ｃｈ（Ｚ）＝（−１／１６）（１−Ｚ−２）４  
と表される。この実施の形態では、４つの水平方向色信号抽出フィルタが、同一の伝達関数を持つものを用いているが、異なる伝達関数を持つものを用いてもよい。
【００３３】
また、時間−垂直−水平方向フィルタ１４内部にスイッチ回路を持ち、時間−垂直方向色信号抽出フィルタ２７の出力と、信号ｇを切り換える構成にして、水平方向色信号抽出フィルタを一つにしてもよい。時間−垂直−水平方向色信号抽出フィルタ２７ａが、時間−垂直周波数平面における第２および第４象限に通過域をとるようなフィルタ特性を持つならば、上述の構成にとらわれるものではない。
【００３４】
なお、上記実施の形態において、図２の時間−垂直−水平方向色信号抽出フィルタ２７ａでは、時間方向、垂直方向、水平方向のそれぞれに帯域制限された色信号成分を、水平方向色信号非相関エネルギー抽出回路（１）２７ｂでは色信号の水平非相関成分を、垂直方向色信号非相関エネルギー抽出回路（１）２７ｃでは色信号の垂直非相関成分をそれぞれ抽出しており、また図９の水平方向色信号非相関エネルギー抽出回路（２）３１ｂでは色信号の水平非相関成分を、図１０の水平方向輝度信号非相関エネルギー抽出回路３０では輝度信号の水平非相関成分を、図１１の垂直方向色信号非相関エネルギー抽出回路（２）３３ｂでは色信号の垂直非相関成分を、図１２の垂直方向輝度信号非相関エネルギー抽出回路３２では輝度信号の垂直非相関成分をそれぞれ抽出しているが、これらは、それぞれの成分を抽出するものであれば、この実施の形態におけるフィルタのタップ数、遅延回路の遅延時間、乗算器の乗算係数などに限られるものではない。
【００３５】
【発明の効果】
この発明は、時間−垂直−水平方向フィルタ１４に加えて、水平方向色信号抽出フィルタ１５、垂直方向色信号抽出フィルタ１６、時間方向色信号抽出フィルタ１７、垂直非相関検出回路１８ａ、水平非相関検出回路１８ｂ、時間非相関検出回路１８ｃとスイッチ回路２１を備えたことで、クロスカラーが少なく、かつ画面水平方向および垂直方向に発生するドット妨害を除去し、輝度信号低域に発生するノイズを抑圧できる効果がある。
【図面の簡単な説明】
【図１】この発明の実施の形態１のＮＴＳＣ方式の輝度信号色信号分離フィルタを示すブロック図である。
【図２】実施の形態１の時間−垂直−水平方向フィルタを示すブロック図である。
【図３】図２の時間−垂直−水平方向フィルタ中の時間−垂直−水平方向色信号抽出フィルタを示すブロック図である。
【図４】図２の時間−垂直−水平方向フィルタ中の水平方向色信号非相関エネルギー抽出回路（１）を示すブロック図である。
【図５】図２の時間−垂直−水平方向フィルタ中の垂直方向色信号非相関エネルギー抽出回路（１）を示すブロック図である。
【図６】図１の輝度信号色信号分離フィルタ中の垂直非相関検出回路を示すブロック図である。
【図７】図１の輝度信号色信号分離フィルタ中の水平非相関検出回路を示すブロック図である。
【図８】図１の輝度信号色信号分離フィルタ中の時間非相関検出回路を示すブロック図である。
【図９】図６の垂直非相関検出回路中の水平方向色信号非相関エネルギー抽出回路（２）を示すブロック図である。
【図１０】図６の垂直非相関検出回路、および図７の水平非相関検出回路中の水平方向輝度信号非相関エネルギー抽出回路を示すブロック図である。
【図１１】図７の水平非相関検出回路中の垂直方向色信号非相関エネルギー抽出回路（２）を示すブロック図である。
【図１２】図６の垂直非相関検出回路、および図７の水平非相関検出回路中の垂直方向輝度信号非相関エネルギー抽出回路を示すブロック図である。
【図１３】図２の時間−垂直−水平方向色信号抽出フィルタの時間−垂直周波数特性図である。
【図１４】図２の水平方向色信号非相関エネルギー抽出回路（１）の時間−垂直周波数特性図である。
【図１５】図２の垂直方向色信号非相関エネルギー抽出回路（１）の時間−垂直周波数特性図である。
【図１６】ＮＴＳＣ信号の色信号の３次元周波数特性図である。
【図１７】従来の輝度信号色信号分離フィルタのブロック図である。
【図１８】従来の輝度信号色信号分離フィルタ中の時間−垂直−水平方向色信号抽出フィルタのブロック図である。
【図１９】図１７の時間−垂直−水平方向色信号抽出フィルタ１４ｃの時間−垂直周波数特性図である。
【符号の説明】
１１  Ａ／Ｄ変換器、１２ａ〜１２ｄ  フィールド遅延回路、１３ａ〜１３ｈライン遅延回路、１４，１４ａ〜１４ｃ  時間−垂直−水平方向色信号抽出フィルタ、１５  水平方向色信号抽出フィルタ、１６  垂直方向色信号抽出フィルタ、１７  時間方向色信号抽出フィルタ、１８ａ  垂直非相関検出回路、１８ｂ水平非相関検出回路、１８ｃ  時間非相関検出回路、２０ａ〜２０ｇ  補償遅延回路、２１  スイッチ回路、２２  減算器、２５ａ〜２５ｊ  加算器、２６ａ〜２６ｌ  乗算器、２７  時間−垂直方向色信号抽出フィルタ、２８，２８ａ水平方向色信号抽出フィルタ、３０  水平方向輝度信号非相関エネルギー抽出回路、３１ｂ  水平方向色信号非相関エネルギー抽出回路（２）、３２  垂直方向輝度信号非相関エネルギー抽出回路、３３ｂ  垂直方向色信号非相関エネルギー抽出回路（２）、３５〜３９  最大値回路、４０〜４２  比較回路、４３〜４５遅延回路、４６  ＡＮＤ回路、４７，５４  ＯＲ回路、４８ａ〜４８ｃ  乗算器、５０，５５，５７，６１，６６，６７，７１，７６，７７，８２  減算器、５２，５９，６２，６８，６９，７２，７８，７９，８３  絶対値回路、５３比較回路、６０，６４，６５，８１  遅延回路、７０，８０  最大値回路。
【図１】
0003547237.tif 000002
【図２】
0003547237.tif 000003
【図３】
0003547237.tif 000004
【図４】
0003547237.tif 000005
【図５】
0003547237.tif 000006
【図６】
0003547237.tif 000007
【図７】
0003547237.tif 000008
【図８】
0003547237.tif 000009
【図９】
0003547237.tif 000010
【図１０】
0003547237.tif 000011
【図１１】
0003547237.tif 000012
【図１２】
0003547237.tif 000013
【図１３】
0003547237.tif 000014
【図１４】
0003547237.tif 000015
【図１５】
0003547237.tif 000016
【図１６】
0003547237.tif 000017
【図１７】
0003547237.tif 000018
【図１８】
0003547237.tif 000019
【図１９】
0003547237.tif 000020